(57)【特許請求の範囲】
【請求項１】
監視制御システムに使用される監視対象の各計装機器に代えて模擬装置を総合試験システムに接続して監視制御システムの総合試験を行う監視制御システム総合試験方法であって、
オープンネットワーク対応の各計装機器の仕様における電気量諸元を模擬装置に登録する第１のステップ、
前記模擬装置を前記総合試験システムにオープンネットワークで接続する第２のステップ、
前記模擬装置に登録された電気量諸元を前記模擬装置で任意に変更する第３のステップ、及び
前記任意に変更された前記電気量諸元を前記模擬装置が前記オープンネットワークに出力する第４のステップ
により前記模擬装置が出力した前記変更された前記電気量諸元を前記オープンネットワークを介して監視装置で収集し前記電気量諸元に基づいて監視制御システムの総合試験及び前記各計装機器の適否の試験を行う
ことを特徴とする監視制御システム総合試験方法。
【請求項２】
請求項１に記載の監視制御システム総合試験方法において、
各社のオープンネットワーク端末の伝送フレームの各々のヘッダ及びフッタが各社共通であり、前記電気量諸元は、各社共通の前記ヘッダと各社共通の前記フッタとの間にデータ部として格納されている
ことを特徴とする監視制御システム総合試験方法。
【請求項３】
監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うことを特徴とする監視制御システム総合試験方法
に適用され、前記監視制御システムに使用される計装機器に代えて前記総合試験システムに接続される前記模擬装置であって、
前記オープンネットワーク対応の計装機器の仕様における前記電気量諸元を前記オープンネットワークを介して収集する伝送インタフェース、及び
前記伝送インタフェースが収集した前記電気量諸元を登録するメモリを備え、
前記メモリに登録された前記電気量諸元の大きさが任意に変更された所定の電気量を前記総合試験システムに出力する
模擬装置。
【請求項４】
請求項３に記載の模擬装置において、
各社のオープンネットワーク端末の伝送フレームの各々のヘッダ及びフッタが各社共通であり、前記電気量諸元は、各社共通の前記ヘッダと各社共通の前記フッタとの間にデータ部として格納されている
ことを特徴とする模擬装置。 
【発明の詳細な説明】
【技術分野】
【０００１】
この発明は、受配電監視制御システム等の監視制御システムを顧客に納入前に工場側で監視制御システム全体の動作試験を行う監視制御システム総合試験方法、及び監視制御システム総合試験時に総合試験システムに接続される監視対象の電流計、電圧計、電力計等の計装機器（電流計、電圧計、電力計等の実際の計装機器と同等の出力を出す端末を含む）に代えて使用される模擬装置に関するものである。
【背景技術】
【０００２】
受配電監視制御システム等の監視制御システムの動作試験は、監視制御システムを顧客に納入した後に行う現地試験と、監視制御システムを顧客に納入する前に工場側で監視制御システムの総合試験システムを使用して行う工場試験とがある。
後者の工場試験は、総合試験システムに、監視対象の電流計、電圧計、電力計等の監視に必要な各種計装機器（電流計、電圧計、電力計等の実際の計装機器と同等の出力を出す伝送端末（以下、単に「端末」と記す）を含む）を組み合わせて接続し、各計装機器の出力の大きさを任意に変更して監視制御システム全体の動作試験が行われる。
【０００３】
前記総合試験においては、各計装機器の出力データをネットワーク上に大きさを任意に変更して出力し、総合試験システムはネットワークを介して各計装機器の前記任意に変更の出力を収集して監視制御システムの動作試験に必要な動作試験が行われる。
前記総合試験によって、監視制御システムの動作試験が行われると共に、監視対象である各計装機器の適否も試験され、不適正な計装機器は適用外とし、他のメーカ等の他の同種計装機器を再接続して再度試験することでより適正な計装機器に代えることで、より正確な動作試験が行われる。
【０００４】
一方、最近では計装分野において、オープンネットワーク対応の端末（電流計、電圧計、電力計等の実際の計装機器と同等の出力を出す端末）が開発されている。オープンネットワーク対応の端末については、通信プロトコルや通信出力のフレーム構造が同じであれば共通のオープンネットワークに接続して総合試験システムによる動作試験が可能である。
【０００５】
例えば、図１４に例示するように、オープンネットワーク対応のＡ社端末１、Ｂ社端末２、Ｃ社端末３、およびＤ社端末４をオープンネットワーク５に接続し、Ａ社端末１、Ｂ社端末２、Ｃ社端末３、およびＤ社端末４の各出力をオープンネットワークマスタ６で収集し、マンマシンインタフェース機能を有する中央監視制御装置７にオープンネットワークマスタ６からＡ社端末１、Ｂ社端末２、Ｃ社端末３、およびＤ社端末４の各出力を送り、受配電監視制御システム等の監視制御システムの動作機能を有する中央監視制御装置７で、監視制御システムの動作およびオープンネットワーク対応の端末１〜４の動作の試験を行うようにすることが可能である。
なお、Ａ社端末１、Ｂ社端末２、Ｃ社端末３、およびＤ社端末４は、メータ等のセンサであり、各々の電流、電圧等の各種電気量諸元の情報をオープンネットワークマスタ６に送信する機器であり、オープンネットワークマスタ６は端末１〜４からの情報を取得して取得した各情報を中央監視装置７に転送する装置であり、中央監視装置はオープンネットワークマスタの情報（端末から取得した情報）を表示する装置である。
【０００６】
オープンネットワーク端末（オープンネットワーク対応の端末）は同一バス上に接続可能であるため監視制御システムのシステム構築が簡単であり、かつ様々な機能を持ったネットワーク端末を接続できるため高機能な監視制御システムの構築が可能となるため、オープンネットワーク端末を用いた監視制御システムは今後増加していくと考えられる。
なお、オープンネットワークは、プロトコル、データ形式等の仕様がオープンになっているネットワークであり、例えばCC−Link、DeviceNet、Modebus等がオープンネットワークと言われており、CC−Link、DeviceNet、Modebus等に対応する端末がオープンネットワーク端末と言われている。
【０００７】
なお、オープンネットワーク対応のＡ社端末１、Ｂ社端末２、Ｃ社端末３、およびＤ社端末４をオープンネットワーク５に接続した事例ではないが、マスタと多数のスレーブとをバス型フィールドバスで接続した通信の事例として特許文献１がある。
【先行技術文献】
【特許文献】
【０００８】
【特許文献１】特開２００４−２２１９０４号公報（図１及びその説明）
【発明の概要】
【発明が解決しようとする課題】
【０００９】
図１４に示す事例では、監視制御システム、総合試験システムのシステム設計や動作試験の際に、他メーカのオープンネットワーク対応の端末１〜４を購入またはリースし、システム構築する必要がある。
また、これらの端末１〜４が送信するデータを変化させるためには実入力が必要であり、システム試験は準備含め時間を要していた。
また、これらオープンネットワーク端末１〜４は同一のオープンネットワーク５上に接続されるが、オープンネットワーク端末を使用した監視制御システムでは総合組合せ試験を実施するために全てのオープンネットワーク端末を準備しなければならならず、総合組合せ試験を複雑、困難にする面もある。
また、オープンネットワークは仕様がオープンであるため各メーカが計装機器(端末)を開発でき、マルチベンダ環境(複数メーカの各端末の相互接続)のもとにシステム構築が可能なことから今後採用が増加すると考えられるが、１つのネットワークに複数メーカの端末が接続されることからシステムの総合組合せ試験が最終形態（現地試験）のみとなってしまい、各メーカによる前記システム設計・試験の効率が悪くなることも考えられる。
【００１０】
この発明はこのような実情に鑑みてなされたもので、システム設計、試験に必要な様々なメーカのオープンネットワーク対応の伝送端末を全て購入或いは全てリースするようなことをしなくても対応可能な監視制御システム総合試験方法及び模擬装置を提供することを目的とするものである。
【課題を解決するための手段】
【００１１】
この発明に係る監視制御システム総合試験方法は、監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うものである。 
【００１２】
この発明に係る模擬装置は、監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うことを特徴とする監視制御システム総合試験方法に適用され、前記監視制御システムに使用される計装機器に代えて前記総合試験システムに接続される前記模擬装置であって、前記オープンネットワーク対応の計装機器の仕様における前記電気量諸元を前記オープンネットワークを介して収集する伝送インタフェース、及び前記伝送インタフェースが収集した前記電気量諸元を登録するメモリを備え、前記メモリに登録された前記電気量諸元の大きさが任意に変更された所定の電気量を前記総合試験システムに出力するものである。 
【発明の効果】
【００１３】
この発明は、監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うので、様々なメーカのオープンネットワーク対応の伝送端末を全て購入或いは全てリースするようなことをしなくても対応可能な監視制御システム総合試験方法を実現できる効果がある。 
【００１４】
この発明は、監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うことを特徴とする監視制御システム総合試験方法に適用され、前記監視制御システムに使用される計装機器に代えて前記総合試験システムに接続される前記模擬装置であって、前記オープンネットワーク対応の計装機器の仕様における前記電気量諸元を前記オープンネットワークを介して収集する伝送インタフェース、及び前記伝送インタフェースが収集した前記電気量諸元を登録するメモリを備え、前記メモリに登録された前記電気量諸元の大きさが任意に変更された所定の電気量を前記総合試験システムに出力するので、様々なメーカのオープンネットワーク対応の伝送端末を全て購入或いは全てリースするようなことをしなくても対応可能であり、また、監視制御システムに使用される監視対象の各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープンネットワークで接続する第２のステップ、前記模擬装置に登録された電気量諸元を前記模擬装置で任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して監視装置で収集し前記電気量諸元に基づいて監視制御システムの総合試験及び前記各計装機器の適否の試験を行うことを特徴とする監視制御システム総合試験方法の実現に適した模擬装置を提供できる効果がある。
【図面の簡単な説明】
【００１５】
【図１】この発明の実施の形態１を示す図で、システム構成の一例を示す図である。
【図２】この発明の実施の形態１を示す図で、図１における模擬装置の内部構成の一例を示すブロック図である。
【図３】この発明の実施の形態１を示す図で、伝送フレームのフレーム構成の一例をします図である。
【図４】この発明の実施の形態１を示す図で、各社の伝送端末（計装機器）の出力の伝送フレームにおけるデータ部の構成の事例を示す図である。
【図５】この発明の実施の形態１を示す図で、図２の模擬装置におけるメモリにアドレス毎に登録された各社端末の仕様を例示する図である。
【図６】この発明の実施の形態１を示す図で、図２の模擬装置におけるメモリのアドレス１に格納された一メーカの仕様の詳細データを例示する図である。
【図７】この発明の実施の形態１を示す図で、模擬装置の表示画面にＡ社端末の仕様を表示した事例を示す図である。
【図８】この発明の実施の形態１を示す図で、模擬装置の表示画面にＢ社端末の仕様を表示した事例を示す図である。
【図９】この発明の実施の形態１を示す図で、模擬装置の表示画面にＣ社端末の仕様を表示した事例を示す図である。
【図１０】この発明の実施の形態１を示す図で、本発明の実施の形態と本発明に至る前の従来とを比較して図示する動作説明図である。
【図１１】この発明の実施の形態２を示す図で、システム構成の他の例を示す図である。
【図１２】この発明の実施の形態３を示す図で、システム構成の更に他の例を示す図である。
【図１３】この発明の実施の形態４を示す図で、システム構成の更に他の例を示す図である。
【図１４】本発明に至る前の従来のシステム構成の例を示す図である。
【発明を実施するための形態】
【００１６】
実施の形態１．
以下、この発明の実施の形態１を図１〜１０により説明する。
【００１７】
本実施の形態では図１に例示するように、オープンネットワーク対応のＡ社端末を模擬する模擬装置８Ａ、オープンネットワーク対応のＢ社端末を模擬する模擬装置８Ｂ、オープンネットワーク対応のＣ社端末３、およびオープンネットワーク対応のＤ社端末を模擬する模擬装置８Ｄ、をオープンネットワーク５に接続し、模擬装置８Ａ、模擬装置８Ｂ、Ｃ社端末３、および模擬装置８Ｄの各出力をオープンネットワークマスタ６で収集し、マンマシンインタフェース機能を有する中央監視制御装置７にオープンネットワークマスタ６から模擬装置８Ａ、模擬装置８Ｂ、Ｃ社端末３、および模擬装置８Ｄの各出力を送り、受配電監視制御システム等の監視制御システムの動作機能を有する中央監視制御装置７で、監視制御システムの動作およびオープンネットワーク対応の模擬装置８Ａ、模擬装置８Ｂ、Ｃ社端末３、および模擬装置８Ｄの動作の試験を行うように構成されている。
なお、図１は、Ｃ社製オープンネットワーク端末３とオープンネットワークマスタ６が実在し、Ａ社製、Ｂ社製、Ｄ社製のオープンネットワーク端末がなく、Ａ社製、Ｂ社製、Ｄ社製のオープンネットワーク端末の各々の模擬動作を図２に例示の模擬装置８Ａ、８Ｂ、８Ｄが行っている受配電監視制御システムの構成図である。本構成図ではＡ社製オープンネットワーク端末の模擬動作を図２に例示の１台の模擬装置８Ａ、Ｂ社製オープンネットワーク端末の模擬動作を図２に例示の１台の模擬装置８Ｂ、Ｄ社製オープンネットワーク端末の模擬動作を図２に例示の１台の模擬装置８ｄで実施する場合を例示してある。
従って、Ａ社製、Ｂ社製、Ｄ社製のオープンネットワーク端末がなくても監視制御システムの総合組合せ試験が可能である。本発明に至る前は、Ａ社製、Ｂ社製、Ｄ社製のオープンネットワーク端末がなければ総合組合せ試験は出来ないが、図２に例示の模擬装置を使用することによりＡ社製、Ｂ社製、Ｄ社製のオープンネットワーク端末がなくても監視制御システムの総合組合せ試験が可能となる。
また、図２に例示の模擬装置８の伝送インタフェースは、必要とする端末の台数分の伝送Ｉ／Ｆ回路を有する構成である。図２における複数の伝送インタフェース８１１〜８１Ｎの使用、未使用はＣＰＵ８２のプログラミングで設定できるためオープンネットワーク端末１台のみの模擬、複数台分の模擬はプログラミングで可能となる。また、オープンネットワーク端末のアドレスを決定するスイッチ８４１〜８４Ｎにより様々なシステム構成に対応が可能である。
【００１８】
前記模擬装置８Ａ、模擬装置８Ｂ、および模擬装置８Ｄは、何れも図２に例示の模擬装置８が使用される。
【００１９】
図２に例示のように、模擬装置８はマンマシンインタフェースの機能を有し、複数の伝送インタフェース（図２では「伝送Ｉ／Ｆ」と略記してある）８１１〜８１Ｎと、１個のＣＰＵ８２と、第１のメモリ８３１と、第２のメモリ８３２と、伝送インタフェース毎に入手データを第１のメモリ８３１に格納するアドレスを設定するアドレススイッチ（図２では「アドレスＳＷ」と略記してある）と、マンマシンインタフェースの表示部８５とを備えている。
【００２０】
オープンネットワーク対応の各社の計装機器の端末１〜４の電気量諸元の仕様は公開されておりインターネット等の公衆ネットワーク９上にオープンにされていることから、例えば、伝送インタフェース８１１により、Ａ社のオープンネットワーク端末１の電気量諸元の仕様をネットワーク９上から入手して第１のメモリ８３１のアドレス１に登録（格納
）し、同様にして、伝送インタフェース８１Ｎにより、Ｎ社のオープンネットワーク端末Ｎ（図示省略）の電気量諸元の仕様をネットワーク９上から入手して第１のメモリのアドレスＮに登録（格納）する。
ネットワーク９上から入手した電気量諸元の仕様が例えばフレーム構造の違い等により自動的に第１のメモリ８３１に登録できない場合は、模擬装置のマンマシン機能により当該自動登録できないネットワーク９上の某社の電気量諸元の仕様を模擬装置の表示部８５に一旦表示し、当該表示された電気量諸元の仕様を模擬装置の入力装置（図示省略）から手入力することで当該仕様を第１のメモリ８３１に登録するか、または、某社の端末の取扱説明書から電気量諸元の仕様を模擬装置の入力装置（図示省略）から手入力することで当該仕様を第１のメモリ８３１に登録するようにしてもよい。
【００２１】
オープンネットワーク対応の端末の出力の伝送フレームは、図３に例示のように、通常は同一フレーム構造とすることによりオープンネットワーク通信が可能である。つまり、各社のオープンネットワーク端末の伝送フレーム１０Ａ〜１０Ｄは、各々のヘッダ１０１、フッタ１０３は各社共通内容とし、データ部１０２の各データ領域（データ１〜データ５）に各社各様のデータ（各種電気量諸元の仕様）が存在することになる。
【００２２】
従って、第１のメモリ８３１に格納される各社端末の各種電気量諸元の仕様も、例えば図５に例示のように、各社各様の各種電気量諸元およびデータ配列となる。
【００２３】
また、同一アドレス内のデータ（一つの端末の各種電気量諸元のデータ）としては、例えば図６に例示のように、例えばデータ領域（データ１〜データ５）の各種電気量諸元（電流(R)、電圧(RS)、周波数、力率、電力、等）毎に、例えば仕様の一つである最小値、最大値の各値が図示のように登録されており、更に、前記総合試験時に各端末毎に即ち各模擬装置毎に大きさを任意に変更して設定される現在値のデータ領域が設けられている。
【００２４】
前記監視制御システムの総合試験を行う場合は、試験システム（図１におけるオープンネットワーク５、オープンネットワークマスタ６、中央監視装置７で構成されている）にオープンネットワーク５を介して接続された各模擬装置８Ａ、８Ｂ、８Ｄの各現在値、及びＣ社端末３の出力（現在値）を、例えば図７〜９に例示のように、それぞれ前記総合試験に必要な大きさに任意変更して設定したのち、第２のメモリ８３２に格納された動作プログラムをＣＰＵ８２により実行することにより、前記総合試験に必要な大きさに任意変更して設定された現在値が各模擬装置８Ａ、８Ｂ、８Ｄの各現在値、及びＣ社端末３からオープンネットワーク５上に出力されて中央監視装置７内の総合試験機能により総合試験、および各模擬装置８Ａ、８Ｂ、８Ｄ、及びＣ社端末３の適否の試験が行われる。
【００２５】
なお、図７〜９に例示のように、模擬装置の表示画面８５０には、第１のメモリ８３１に格納されている各社の仕様のデータを選択的に画面表示する伝送インタフェースNo．１〜１６が表示され、当該各伝送インタフェースNo．１〜１６の何れか選択指定することにより、例えば、図７では伝送インタフェースNo．１の選択指定により、第１のメモリ８３１に格納されているＡ社の電気量諸元の前記現在値が表示され、図８では伝送インタフェースNo．２の選択指定により、第１のメモリ８３１に格納されているＢ社の電気量諸元の前記現在値が表示され、図９では伝送インタフェースNo．３の選択指定により、第１のメモリ８３１に格納されているＣ社の電気量諸元の前記現在値が表示され、画面上の各現在値を目視確認して総合試験に必要な値に任意に変更ができるようにしてある。
【００２６】
つまり、本実施の形態１は、監視制御システムに使用される各計装機器に代えて模擬装置を総合試験システムに接続して監視制御システムの総合試験を行う監視制御システム総合試験方法であって、オープンネットワーク対応の各計装機器の仕様における電気量諸元を模擬装置に登録する第１のステップ、前記模擬装置を前記総合試験システムにオープン
ネットワークで接続する第２のステップ、前記模擬装置に登録された電気量諸元を任意に変更する第３のステップ、及び前記任意に変更された前記電気量諸元を前記模擬装置が前記オープンネットワークに出力する第４のステップにより前記模擬装置が出力した前記変更された前記電気量諸元を前記オープンネットワークを介して収集し前記電気量諸元に基づいて監視制御システムの総合試験を行うものである。
また、本実施の形態１は、監視制御システムに使用される計装機器に代えて総合試験システムに接続される模擬装置であって、オープンネットワーク対応の計装機器の仕様における電気量諸元をネットワークを介して収集する伝送インタフェース、及びこの伝送インタフェースが収集した前記電気量諸元を登録するメモリを備え、前記メモリに登録された前記電気量諸元の大きさが任意に変更された所定の電気量を前記総合試験システムに出力するものである。
従って、様々なメーカのオープンネットワーク対応の伝送端末を全て購入或いは全てリースするようなことをしなくても対応可能な監視制御システム総合試験方法および模擬装置を実現でき、前記システム総合試験を簡単に実施できるようなる。
【００２７】
また、観点を変えて、前述の図１４と前述の図１〜１０に例示の実施の形態１との試験方法、試験手順の違いは、図１０（ａ）（ｂ）に対比してステップＳＴａ１〜ＳＴａ７、ステップＳＴｂ１〜ＳＴｂ７で示すとおりである。
【００２８】
図１０（ａ）に示すこの発明に至る前の従来の試験方法、試験手順はステップＳＴａ１→ＳＴａ２→ＳＴａ３→ＳＴａ４→ＳＴａ５→ＳＴａ６→ＳＴａ７の順となる。
つまり、先ず、ステップＳＴａ１で、使用する全ての端末（電流、電圧等の電気量諸元の発生器）を準備する。
次いで、ステップＳＴａ２で、最終システム構成どおりに各端末１〜４、マスタ６、中央監視装置７を接続する。
次いで、ステップＳＴａ３で、電流、電圧等の電気量諸元を端末１〜４から入力する。
次いで、ステップＳＴａ４で、各端末１〜４では電流、電圧等の電気量諸元の計測を行い、各計測値をマスタ６に送信する。
次いで、ステップＳＴａ５で、マスタ６は、ステップＳＴａ４で送信されてきた各計測値情報を中央監視装置７に転送する。
次いで、ステップＳＴａ６で、中央監視装置７は、ステップＳＴａ４で送信されてきた各計測値情報を、中央監視装置７の表示画面に表示する。
次いで、ステップＳＴａ７で、ステップＳＴａ３で入力する電流・電圧を最小値、中間値、最大値に変化させ、中央監視装置７で各値が正しく表示されているかどうかを目視で確認する。
【００２９】
これに対し、図１０（ｂ）に示すこの発明の試験方法、試験手順はステップＳＴｂ１→ＳＴｂ２→ＳＴｂ３→ＳＴｂ４→ＳＴｂ５→ＳＴｂ６→ＳＴｂ７の順となる。
つまり、先ず、ステップＳＴｂ１で、各社の端末における出力（電流、電圧等の電気量諸元）の仕様を登録した模擬装置８Ａ、８Ｂ、・・・を準備する。
次いで、ステップＳＴｂ２で、模擬装置８Ａ、８Ｂ、・・・、マスタ６、中央監視装置７を接続する。
次いで、ステップＳＴｂ３で、模擬装置８Ａ、８Ｂ、・・・から電流、電圧等の電気的諸元量を計測したような振る舞い（動作）をさせる。つまり、模擬装置８Ａ、８Ｂ、・・・の第１のメモリ８３１における前記試験に必要な大きさに変更して設定された電気的諸元量の現在値を出力するように、模擬装置８Ａ、８Ｂ、・・・を動作させる。
次いで、ステップＳＴｂ４で、模擬装置８Ａ、８Ｂ、・・・は、電流・電圧等の電気的諸元量の現在値をマスタ６に送信する。
次いで、ステップＳＴｂ５で、マスタ６は、ステップＳＴｂ４で送信されてきた各電気的諸元量情報を中央監視装置７に転送する。
次いで、ステップＳＴｂ６で、中央監視装置７は、ステップＳＴｂ４で送信されてきた各電気的諸元量情報を、中央監視装置７の表示画面に表示する。
次いで、ステップＳＴｂ７で、ステップＳＴｂ３における電流、電圧等の電気的諸元量を最小値、中間値、最大値に模擬装置の模擬動作で自動的に変化させ、中央監視装置で各値が正しく表示されているかどうかを目視で確認する。
【００３０】
オープンネットワーク対応の端末の送信データは仕様がオープンになっているため、本実施の形態１により、これら端末の通信部分を模擬する模擬装置を使用することにより、端末の購入、リースを省き、試験準備を簡単にすることが可能となる。
【００３１】
実施の形態２．
本実施の形態２は、図１１に例示のように、１台の模擬装置８ＡＢＤで複数の端末（Ａ社の端末、Ｂ社の端末、Ｄ社の端末）の模擬動作が可能な事例であり、前述のシステム総合試験で使用する模擬装置の台数を減少でき、試験準備を容易にすることが可能となる。１つの模擬装置で第２のメモリ８３２（図２参照）に格納してあるプログラムを書き換えることにより、１台の模擬装置で複数メーカの端末の模擬動作が可能である。
【００３２】
実施の形態３．
本実施の形態３は、図１２に例示のように、１つの伝送インタフェース８１で複数のオープンネットワーク端末の模擬動作を行う事例であり、伝送インタフェースの台数を減少できる。１つの伝送インタフェースで複数のアドレスを持つことができる場合に、１つの伝送インタフェース８１で複数のオープンネットワーク端末の模擬動作を行うことが可能となる。
【００３３】
実施の形態４．
本実施の形態４は、図１３に例示のように、Ｃ社のオープンネットワーク端末も購入してなく、Ｃ社のオープンネットワーク端末の仕様を模擬装置８Ｃに登録し、Ｃ社のオープンネットワーク端末を模擬装置８Ｃ模擬する事例、つまり、オープンネットワーク対応の実端末を使用することなく、全て模擬装置８Ａ、８Ｂ・・・で前記システム総合試験に対応する事例であり、オープンネットワークを使用した監視制御システムの総合組合せ試験において全てのオープンネットワーク端末がなくても監視制御システムの総合組合せ試験を実施することが可能である。
【００３４】
なお、図１〜図１４の各図中、同一符合は同一または相当部分を示す。
【符号の説明】
【００３５】
１    Ａ社製のオープンネットワーク対応の端末（計装機器）、
２    Ｂ社製オープンネットワーク対応の端末（計装機器）、
３    Ｃ社製オープンネットワーク対応の端末（計装機器）、
４    Ｄ社製オープンネットワーク対応の端末（計装機器）、
５    オープンネットワーク、
６    オープンネットワークマスタ、
７    中央監視装置、
８，８Ａ，８Ｂ，８Ｃ，８Ｄ，８ＡＢＤ    模擬装置、
８１，８１１，８１２，８１Ｎ    伝送インタフェース、
８２    ＣＰＵ、
８３１    第１のメモリ、
８３２    第２のメモリ、
８４１，８４２，８４３，８４Ｎ    アドレススイッチ、
８５    表示部、
８５０    模擬装置の表示画面、
９    公衆ネットワーク、
１０，１０Ａ，１０Ｂ，１０Ｃ，１０Ｄ    伝送フレーム、
１０１    ヘッダ、
１０２    データ部、
１０３    フッタ、
１４    模擬装置表示部、
１５    伝送フレームヘッダ部、
１６    伝送フレームデータ部、
１７    伝送フレームフッタ部、
１８    オープンネットワークマスタ、
１９    中央監視装置(ヒューマンインタフェース)。
【図１】
0005595194.tif 000002
【図２】
0005595194.tif 000003
【図３】
0005595194.tif 000004
【図４】
0005595194.tif 000005
【図５】
0005595194.tif 000006
【図６】
0005595194.tif 000007
【図７】
0005595194.tif 000008
【図８】
0005595194.tif 000009
【図９】
0005595194.tif 000010
【図１０】
0005595194.tif 000011
【図１１】
0005595194.tif 000012
【図１２】
0005595194.tif 000013
【図１３】
0005595194.tif 000014
【図１４】
0005595194.tif 000015